【事件の表示】
　平成１０年特許願第２５５０６９号「弾球遊技機」拒絶査定不服審判事件〔平成１２年　３月２８日出願公開、特開２０００−　８４２０２〕について、次のとおり審決する。
【結　論】
　本件審判の請求は、成り立たない。
【理　由】
１．手続の経緯
  本願は、平成１０年９月９日の出願であって、同年１０月７日付で特許請求の範囲に係る手続補正がなされ、平成１１年４月２８日付の拒絶理由に対し平成１１年７月８日付で特許請求の範囲に係る手続補正がなされ、平成１２年３月２４日付で拒絶査定がなされ、これに対し同年５月１日に拒絶査定に対する審判請求がなされるとともに、同年５月３１日付で手続補正がなされたものである。
　
２．平成１２年５月３１日付の手続補正についての補正却下の決定
［補正却下の決定の結論］
　　平成１２年５月３１日付の手続補正を却下する。
［理由］
（１）補正後の本願発明
　本件補正により、特許請求の範囲の請求項１は、
「【請求項１】　遊技盤(4)の裏側に、該遊技盤(4)の入賞口(14)〜(19)等の遊技部品を覆う裏カバー(43)と、
この裏カバー(43)の下側に配置され且つ内部が
貯留せずに外部へ
入賞球排出通路(50)となった
着脱自在に
と、
と補正された。
　上記補正は、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１５年改正前特許法第１７条の２第５項において準用する同法第１２６条第４項の規定に適合するか）について以下に検討する。
　
（２）引用例
　原査定の拒絶の理由に引用された特開平９−７０８号公報（以下「引用例１」という）には、図面とともに以下の記載がある。
（ａ）「【請求項１】 遊技領域に打玉を打込んで遊技が行なわれる弾球遊技機であって、前記遊技領域に設けられ、打玉の入賞により払出される景品玉が互いに異なる複数種別に分類される複数の入賞領域と、該複数の入賞領域に入賞した入賞玉を検出可能な複数の入賞玉検出手段と、複数種類の個数の景品玉を払出可能な景品玉払出手段と、前記複数の入賞玉検出手段により検出された入賞玉を記憶する手段であって、当該入賞玉がどの種別に属する入賞領域への入賞玉かを前記複数種別すべてについて区別して記憶する入賞玉記憶手段と、該入賞玉記憶手段の記憶に従って前記玉払出手段により景品玉を払出す制御を行なう玉払出制御手段とを含むことを特徴とする、弾球遊技機。」
（ｂ）「【００１８】図２は、遊技盤の裏面構造を示す背面図である。遊技盤の裏面側には、前述した各種の入賞領域から入賞した入賞玉を誘導して集合させる入賞玉集合カバー体４７が設けられている。この入賞玉集合カバー体４７には、入賞玉を誘導するための誘導通路４８ａ，４８ｂ，５０ａ，５０ｂ，５１が設けられている。そして、入賞口７，３９ａ，３９ｂに入賞した入賞玉が誘導通路４８ａ，４８ｂ，５０ａ，５０ｂにより誘導され、可変入賞球装置２１に入賞した入賞玉が誘導通路５１により誘導される。誘導通路４８ａ，４８ｂで誘導されてきた入賞玉は入賞情報スイッチ４９ａ，４９ｂにより検出される。図中５は可変表示装置であり、４４はアウト口であり、３６ａ，３６ｂは始動口である。その始動口３６ａ，３６ｂに入賞した始動入賞玉が始動玉検出器３６ｄ，３６ｃにより検出される。」
（ｃ）「【００２４】図５は、景品玉を払出すための機構を示す構成図である。入賞玉集合カバー体４７により集合された入賞玉が入賞玉集合樋８０上に落下して入賞玉誘導通路８１に導かれる。その入賞玉誘導通路８１で誘導されてきた入賞玉は入賞玉流下路１１２を通って入賞玉処理装置１１０の玉送り部材１１５のところまで流下する。・・・」
（ｄ）「【００３７】図１１は、パチンコ遊技機の遊技状態を制御するための遊技制御回路基板９９に設けられた遊技制御回路を示すブロック図である。遊技制御回路は、ＣＰＵ，ＲＯＭ，ＲＡＭ，Ｉ／Ｏポート等を含む基本回路１３０を有する。この基本回路１３０は、カウンタ１３１も有しており、後述する入賞玉検出器からの検出信号に基づいて入賞玉を計数することができるように構成されている。遊技制御基板９９には、さらに、基本回路１３０からのアドレスデータをデコードするアドレスデコード回路１３３と、電源投入時に基本回路１３０のＣＰＵをリセットするための初期リセット回路１３４と、基本回路１３０のＣＰＵを定期的（たとえば２ｍｓｅｃ毎）にリセット信号をＣＰＵに与え、ＣＰＵを定期的にリセットするためのクロック用リセットパルス発生回路１３５が設けられている。このクロック用リセットパルス発生回路１３５は、可変表示装置５の可変表示動作を制御するためのサブ基本回路１３２に設けられているＣＰＵにも定期的にリセット信号を与えるものである。このサブ基本回路１３２は、ＣＰＵのほかに、ＲＯＭ，ＲＡＭ，Ｉ／Ｏポート等を含む。
【００３８】基本回路には、以下のような信号が入力される。入賞情報が入賞情報入力回路１３６を介して基本回路１３０に入力される。入賞玉検出器（１０カウントスイッチ）２９ａ，２９ｂ，入賞情報スイッチ４９ａ，４９ｂ，特定領域スイッチ２８，始動口スイッチ（始動玉検出器）２０，３６ｃ，３６ｄの検出信号がスイッチ回路１４０を介して基本回路１３０に入力される。
【００３９】基本回路１３０は、以下の各種機器に信号を出力する。賞球個数情報出力回路１３７を介して賞球個数情報を払出制御回路基板１００側に出力する。７セグ・ＬＥＤランプ駆動回路１３８を介して、開成回数表示器３４，個数表示ＬＥＤ３５，飾りＬＥＤ１８，Ｖ表示ＬＥＤ３３，ライン表示ＬＥＤ１３，始動記憶ＬＥＤ１２に表示制御信号を出力する。ランプ・ソレノイド・情報出力回路１３９を介して、ソレノイド２５，サイドランプ４０ａ，４０ｂ，レール飾りランプ４３，アタッカーランプ３７，遊技効果ランプ４６，風車ランプ３８ａ，３８ｂに制御信号を出力するとともに、遊技場のホストコンピュータであるホール用管理コンピュータに、大当り情報，当り情報，有効始動情報を出力する。基本回路１３０は、可変表示装置５の可変表示指令信号をサブ基本回路１３２に出力する。また、サブ基本回路１３２は、可変表示装置５に設けられているドラムセンサ１６ａ〜１６ｃからの検出信号をセンサ入力回路１４３を介して入力する。このセンサ入力回路１４３からの検出信号は基本回路１３２にも入力される。ドラムセンサ１６ａ〜１６ｃは、可変表示装置に設けられている回転ドラムの基準位置を検出するものである。サブ基本回路１３０には、ドラムランプ回路１４１を介してドラムランプ１７に制御用信号を出力するとともに、ドラムモータ回路１４２を介してドラムモータ（ステッピングモータ）１５ａ〜１５ｃにドラム回転用制御信号を出力する。」
（ｅ）「【００７１】（３） 玉払出制御回路基板１００に設けられている玉払出制御回路により、後述する入賞玉記憶手段の記憶に従って前記玉払出手段により景品玉を払出す制御を行なう玉払出制御手段が構成されている。遊技制御回路基板９９に設けられている遊技制御回路により、遊技機の遊技状態を制御する遊技制御手段が構成されている。この遊技制御手段は、前記玉払出制御手段から送信されてきた入賞情報に従って、その入賞に伴って払出すべき景品玉の個数を特定する賞球情報を前記玉払出制御手段に出力する。入賞個数カウンタ１３１により、前記入賞玉検出手段により検出された入賞玉を一時的に記憶する入賞玉記憶手段が構成されている。この入賞玉記憶手段は、入賞玉検出手段（ＳＷ２〜ＳＷ４）による入賞玉の検出に応じて種別毎に加算記憶するとともに、前記遊技制御手段から前記賞球情報が出力された後、その賞球情報に対応する入賞玉の記憶を消去、すなわち、種別毎に記憶されている入賞玉数から減算する。なお、この入賞記憶手段による入賞玉の記憶の消去は、前記玉払出手段による景品玉の払出動作が完了した後記憶の消去を行なうようにしてもよい。・・・・」
（ｆ）上記（ｂ）の記載、及び、図１、図２の記載を参照すると、入賞玉集合カバー体４７は、入賞領域等の遊技部品を覆っていることは、当業者にとって明らかである。
（ｇ）上記（ｄ），（ｅ）の記載を参照すると、遊技制御手段である遊技制御回路基板９９は、主に遊技盤側の遊技動作を制御していることは、当業者にとって明らかである。
（ｈ）上記（ｅ）の記載、及び、図１１の記載を参照すると、入賞玉記憶手段を備えた入賞個数カウンタ１３１が遊技制御回路基板９９に設けられていることが開示されていることから、入賞玉記憶手段は、遊技制御手段側と景品玉払出制御手段側との何れか一方に設けられているとみなすことができる。
　
　これらの記載によれば、引用例１には、次の発明が記載されていると認められる。
「遊技盤２の裏面側に、入賞領域等の遊技部品を覆い、各種の入賞領域から入賞した入賞玉を集合させて誘導する入賞玉集合カバー体４７が設けられ、主に遊技盤側の遊技動作を制御する遊技制御手段と、入賞領域に入賞した入賞玉を検出可能な入賞玉検出手段と、景品玉を払出可能な景品玉払出手段と、玉払出制御手段とを含み、入賞玉検出手段により検出された入賞玉を記憶する入賞玉記憶手段を遊技制御手段側と玉払出制御手段側との何れか一方に設け、この入賞玉記憶手段の記憶に従って玉払出制御手段が景品玉払出手段を払出す制御を行う、弾球遊技機。」
　
（３）対比
　そこで、本願補正発明と引用例１に記載された発明とを比較すると、引用例１に記載された発明の「裏面側」、「入賞領域」、「入賞した入賞玉を検出可能な」、「入賞玉検出手段」、「景品玉を払出可能な」、「景品玉払出手段」、「玉払出制御手段」、「含み」、「検出された入賞玉を記憶する」、「入賞玉記憶手段」、「入賞玉記憶手段の記憶に従って」、及び、「玉払出制御手段が景品玉払出手段を払出す制御を行う」は、それぞれ、本願補正発明の「裏側」、「入賞口」、「入賞した入賞球を検知する」、「入賞球検知手段」、「景品球を払い出す」、「景品球払出手段」、「払出制御手段」、「備え」、「入賞球を検知したときに、その入賞を記憶する」、「入賞記憶手段」、「入賞記憶手段の検知の記憶に従って」、及び、「払出制御手段が景品球払出手段を作動させる」に相当する。
　また、引用例１に記載された発明における「入賞玉集合カバー体４７」と本願補正発明における「裏カバー」及び「入賞球排出ケース」は、ともに、遊技盤の裏側に設けられ、入賞口（入賞領域）等の遊技部品を覆い、入賞口（入賞領域）から遊技盤の裏側に案内された入賞球を集めて誘導する部材である点で共通する。
　よって、両者は、
「遊技盤の裏側に、該遊技盤の入賞口等の遊技部品を覆うとともに、入賞口から遊技盤 の裏側に案内された入賞球を集めて誘導する部材を設け、
　主に遊技盤側の遊技動作を制御する遊技制御手段と、入賞口に入賞した入賞球を検知する入賞球検知手段と、景品球を払い出す景品球払出手段と、入賞球検知手段が入賞球を検知したときに景品球払出手段を作動させて景品球を払い出させる払出制御手段とを備え、入賞球検知手段が入賞球を検知したときに、その入賞を記憶する入賞記憶手段を遊技制御手段側と払出制御手段側との何れか一方に設け、この入賞記憶手段の検知の記憶に従って払出制御手段が景品球払出手段を作動させるようにした弾球遊技機。」
である点で一致し、以下の点で相違する。
　
相違点１：
　遊技盤の裏側に設けられた該遊技盤の入賞口等の遊技部品を覆うとともに、入賞口から遊技盤の裏側に案内された入賞球を集めて誘導する部材が、本願補正発明では、裏カバーと、この裏カバーの下側に配置され且つ内部が入賞口から遊技盤の裏側に案内された入賞球を集めて外部へと排出する入賞球排出通路となった入賞球排出ケースであり、この入賞球排出ケースが、各入賞口からの入賞球を左右方向の一方側に案内する上傾斜通路と、この上傾斜通路の下流側からの入賞球を左右方向の他方側に案内する下傾斜通路とを備え、下傾斜通路の下流側に、入賞球を下向きに排出する最終排出口を設けた構成となっているのに対して、引用例１に記載された発明では、そのような構成となっていない点。
相違点２：
　入賞口から遊技盤の裏側に案内された入賞球を集めて誘導する部材が、本願補正発明では、入賞球を貯留せずに外部へと排出するのに対して、引用例１に記載された発明では、そのような構成となっていない点。
相違点３：
　入賞口から遊技盤の裏側に案内された入賞球を集めて誘導する部材が、本願補正発明では、着脱自在に設けられているのに対して、引用例１に記載された発明では、そのようになっているかどうか不明である点。
　
（４）判断
　上記相違点について検討する。
＜相違点１について＞
　遊技盤の裏側に設けられた部材を、裏カバーと、この裏カバーの下側に配置され且つ内部が入賞口から遊技盤の裏側に案内された入賞球を集めて外部へと排出する入賞球排出通路となった入賞球排出ケースとより構成する点、及び、入賞球排出ケースを、各入賞口からの入賞球を左右方向の一方側に案内する上傾斜通路と、この上傾斜通路の下流側からの入賞球を左右方向の他方側に案内する下傾斜通路とを備え、下傾斜通路の下流側に、入賞球を下向きに排出する最終排出口を設けた構成とする点は、いずれも、本願出願前周知の事項（必要あれば、特開平８−２９４５７０号公報（段落００１６、００２３、図４）、特開平９−１２２３２６号公報（段落００１６、００２３、図４）等参照）であるので、引用例１に記載された発明に、上記した本願出願前周知の事項を適用して、相違点１に係る本願補正発明の構成とすることは、当業者であれば容易に想到しうることである。
　
＜相違点２について＞
　入賞口から遊技盤の裏側に案内された入賞球を集めて誘導する部材が、入賞球を貯留せずに外部へと排出するように構成することは、本願出願前周知の事項（必要あれば、特開平６−７１０２８号公報（段落００３０〜００３１、図４）、特開平５−２３７２４７号公報（第６頁第１０欄第４５行〜第４７行））等参照）であるので、引用例１に記載された発明に、上記した本願出願前周知の事項を適用して、相違点２に係る本願補正発明の構成とすることは、当業者であれば容易に想到しうることである。
　
＜相違点３について＞
　入賞球を集めて誘導する部材を、遊技盤に対して着脱自在とすることは、当業者が必要に応じて適宜なしうる程度のことであり、それによる効果も当業者が予測できる範囲内のものであり格別なものとはいえない。
　
　さらに、本願補正発明の作用効果も、引用例１に記載された発明に本願出願前周知の事項を適用したものにおいて、当業者が予測できる範囲のものである。
　
　よって、本願補正発明は、引用例１に記載された発明、及び、本願出願前周知の事項に基づいて、当業者が容易に発明をすることができたものであるから、特許法第２９条第２項の規定により特許出願の際独立して特許を受けることができないものである。
　
（５）むすび
　以上のとおり、本件補正は、平成１５年改正前特許法第１７条の２第５項で準用する同法第１２６条第４項の規定に違反するものであり、特許法第１５９条第１項で読み替えて準用する特許法第５３条第１項の規定により却下されるべきものである。
　
３．本願発明について
（１）本願発明
　平成１２年５月３１日付の手続補正は上記のとおり却下されたので、本願の請求項１に係る発明（以下、「本願発明」という。）は、平成１１年７月８日付手続補正書の特許請求の範囲の請求項１に記載された事項により特定される、以下のとおりのものである。
「【請求項１】　遊技盤(4)の裏側に、該遊技盤(4)の入賞口(14)〜(19)等の遊技部品を覆う裏カバー(43)と、入賞口(14)〜(19)から遊技盤(4)の裏側に案内された入賞球を集めて排出する入賞球排出ケース(24)とを設け、入賞球排出ケース(24)は、各入賞口(14)〜(19)からの入賞球を左右方向の一方側に案内する上傾斜通路(51)と、この上傾斜通路(51)の下流側からの入賞球を左右方向の他方側に案内する下傾斜通路(52)とを備え、下傾斜通路(52)の下流側に、入賞球を下向きに排出する最終排出口(53)を設け、主に遊技盤(4)側の遊技動作を制御する遊技制御手段(49)と、遊技盤(4)の入賞口(14)〜(19)に入賞した入賞球を外部に排出する入賞球排出通路(50)と、入賞口(14)〜(19)に入賞した入賞球を検知する入賞球検知手段(29)〜(34)(61)と、景品球を払い出す景品球払出手段(40)と、入賞球検知手段(29)〜(34)(61)が入賞球を検知したときに景品球払出手段(40)を作動させて景品球を払い出させる払出制御手段(56)とを備え、入賞球検知手段(29)〜(34)(61)が入賞球を検知したときに、その入賞を記憶する入賞記憶手段(58)を遊技制御手段(49)側と払出制御手段(56)側との何れか一方に設け、この入賞記憶手段(58)の検知の記憶に従って払出制御手段(56)が景品球払出手段(40)を作動させるようにしたことを特徴とする弾球遊技機。」
　
（２）引用例
　原査定の拒絶の理由に引用された引用例、及び、その記載事項は、前記「２．（２）」に記載したとおりである。
　
（３）対比・判断
　本願発明は、実質的に、前記２．で検討した本願補正発明から、「入賞球排出ケース」の限定事項である、「この裏カバー(43)の下側に配置され且つ内部が入賞口(14)〜(19)から遊技盤(4)の裏側に案内された入賞球を集めて貯留せずに外部へと排出する入賞球排出通路(50)となった」との構成、及び、「着脱自在に（設け）」との構成を省いたものである。
　そうすると、本願発明の構成要件を全て含み、さらに他の構成要件を付加したものに相当する本願補正発明が、前記「２．（４）」に記載したとおり、引用例１に記載された発明、及び、本願出願前周知の事項に記載された発明に基づいて、当業者が容易に発明をすることができたものであるから、本願発明も、同様の理由により、引用例１に記載された発明、及び、本願出願前周知の事項に基づいて、当業者が容易に発明をすることができたものである。
　
（４）むすび
　以上のとおり、本願発明は、引用例１に記載された発明、及び、本願出願前周知の事項に基づいて当業者が容易に発明をすることができたものであるから、特許法第２９条第２項の規定により特許を受けることができず、本願の他の請求項に係る発明を検討するまでもなく本願は拒絶すべきものである。
　よって結論のとおり審決する。